(57)【特許請求の範囲】
【請求項１】
筒状の複数の支柱と、前記支柱の上端に係止する上段係止金具と、前記支柱の下部を挟持して係止する下段係止金具と、前記上段係止金具と下段係止金具とに上端と下端とを係止させることにより前記支柱間に張設する樹脂製の網とを備え、
前記上段係止金具は、前記支柱の筒内に挿入する挿入部と、前記支柱の上端に前記上段係止金具を係止するための金具係止部と、前記網の上端辺に配設される上端ロープを係止させる上端ロープ係止部とを備え、
前記上段係止金具は全体が鋼線を折り曲げて形成され、前記挿入部はＵ字形状に折曲されて形成され、前記金具係止部は前記挿入部に延設して逆Ｕ字状に折曲されて形成され、前記上端ロープ係止部は前記金具係止部に延設して斜め方向に円状に折曲されて形成されていることを特徴とする農家が自力施工できる鳥獣侵入防止柵。
【請求項２】
前記下段係止金具は、前記支柱を挟持する挟持部と、前記網の下端に配設される下端ロープを係止させる下端ロープ係止部とを備え、
前記下段係止金具は全体が鋼線を折り曲げて形成され、前記挟持部は略半円状に折曲されて形成され、前記下端ロープ係止部は、前記挟持部の両端に夫々延設して略逆半円状に折曲されて形成され、
前記下端ロープ係止部は、前記挟持部に対し斜め外方に向かって斜設され、前記挟持部の両端の下端ロープ係止部を介して前記下段係止金具に係止された前記下端ロープは、水平方向から見て、曲折することなく、略直線状に掛架されるように構成されていることを特徴とする請求項１記載の農家が自力施工できる鳥獣侵入防止柵。
【請求項３】
請求項１又は２記載の農家が自力施工できる鳥獣侵入防止柵の使用法であって、所定期間に於いて、前記網の上端を前記上段係止金具に係止した状態で、前記網の下端も前記上段係止金具に係止して、前記網を上下中間で２つ折りに折り畳んだ状態に維持し、所定期間終了時に前記網の下端を前記上段係止金具から外し、前記網の下端を前記下段係止金具に係止して前記網を張設することを特徴とする農家が自力施工できる鳥獣侵入防止柵の使用法。
【請求項４】
請求項１又は２記載の農家が自力施工できる鳥獣侵入防止柵の使用法であって、所定期間に於いて、前記網の上端を前記上段係止金具に係止した状態で、前記網の上下間所定箇所を前記上段係止金具に係止して、前記網を３つ折りに折り畳んだ状態に維持し、或いは、前記網の上下間所定箇所と、前記網の下端とを前記上段係止金具に係止して、前記網を４つ折りに折り畳んだ状態に維持し、所定期間終了時に前記網の上端を除く係止部分を前記上段係止金具から外し、前記網の下端を前記下段係止金具に係止して前記網を張設することを特徴とする農家が自力施工できる鳥獣侵入防止柵の使用法。
【請求項５】
請求項１又は２記載の農家が自力施工できる鳥獣侵入防止柵の使用法であって、所定期間に於いて、前記支柱の前記下段係止金具よりも上方で、且つ、前記上段係止金具から所定寸法下げた位置に、前記支柱を挟持して係止する中段係止金具を設け、前記網の上端を前記上段係止金具に係止した状態で、前記網の下端を前記中段係止金具に係止して、前記網の下部を一部折り畳んだ状態に維持し、所定期間終了時に前記網の下端を前記中段係止金具から外し、前記網の下端を前記下段係止金具に係止して前記網を張設することを特徴とする農家が自力施工できる鳥獣侵入防止柵の使用法。
【発明の詳細な説明】
【技術分野】
【０００１】
本発明は、軽量で、施工が容易な、農家が自力施工できる鳥獣侵入防止柵及びその使用法に関する。
【背景技術】
【０００２】
この数年、鳥獣被害が広域化し深刻化している。北海道の鹿被害は、以前は北海道東部地区にしか見られなかったが、最近は西部地区でも被害が深刻化しており、現在、鹿の頭数は、東部地区に２６万頭、西部地区に２６万頭、合わせて５２万頭まで増加している。この頭数は北海道の肉牛頭数と略同じ頭数である。
鳥獣被害を防ぐには侵入防止柵の設置が有効であるが、最近、業者施工ではなく農家による自力施工が増えている。それは、現地を良く知っている農家が施工するほうが、キメこまかな工事が可能なことと、設置コストが軽減されるためである。
【０００３】
業者施工の場合は、資材の重量や施工の容易さはそれほど大きな問題ではなく、むしろ出来上がりの柵としての効果と耐用年数が重要であった。しかし農家が自力施工する場合は、農家が高齢化していることから、資材の軽さや作業の容易さが重要である。
【０００４】
侵入防止柵の資材は、網と柱に分けられる。網は一般的には金網を用いるが、樹脂製の網を利用することで重量を大幅に軽減できる。但し、樹脂製の網を利用するには、網が積雪荷重に耐えなくてはならない。
【０００５】
この種技術の先行文献として、例えば、特許文献１があるが、特許文献１は、５〜１０ｍ間隔に立杭を立設し、立杭間に金網を張り、隣り合う立杭間に１〜５本程度の支持材を接地させるように起立させて設けることにより、積雪荷重によって金網が引き延ばされてたるむことを防止した野獣被害防止柵が記載されている。
【先行技術文献】
【特許文献】
【０００６】
【特許文献１】特開２００１−６９８９８号公報
【発明の概要】
【発明が解決しようとする課題】
【０００７】
前述したように、鳥獣侵入防止柵の農家による自力施工が増えている。自力施工する場合は、資材の軽さや作業の容易さが重要であり、軽量化のため、樹脂製の網を利用するには、網が積雪荷重に耐えなくてはならない。
【０００８】
以上の現状に鑑み、本発明は、軽量で、施工が容易な、農家が自力施工できる鳥獣侵入防止柵及びその使用法を提供することを目的とする。
【課題を解決するための手段】
【０００９】
上記の課題を解決すべく、本発明は以下の構成を提供する。
請求項１に係る発明は、筒状の複数の支柱と、前記支柱の上端に係止する上段係止金具と、前記支柱の下部を挟持して係止する下段係止金具と、前記上段係止金具と下段係止金具とに上端と下端とを係止させることにより前記支柱間に張設する樹脂製の網とを備え、前記上段係止金具は、前記支柱の筒内に挿入する挿入部と、前記支柱の上端に前記上段係止金具を係止するための金具係止部と、前記網の上端辺に配設される上端ロープを係止させる上端ロープ係止部とを備え、前記上段係止金具は全体が鋼線を折り曲げて形成され、前記挿入部はＵ字形状に折曲されて形成され、前記金具係止部は前記挿入部に延設して逆Ｕ字状に折曲されて形成され、前記上端ロープ係止部は前記金具係止部に延設して斜め方向に円状に折曲されて形成されていることを特徴とする農家が自力施工できる鳥獣侵入防止柵を提供するものである。
【００１２】
請求項２に係る発明は、前記下段係止金具は、前記支柱を挟持する挟持部と、前記網の下端に配設される下端ロープを係止させる下端ロープ係止部とを備え、前記下段係止金具は全体が鋼線を折り曲げて形成され、前記挟持部は略半円状に折曲されて形成され、前記下端ロープ係止部は、前記挟持部の両端に夫々延設して略逆半円状に折曲されて形成され、前記下端ロープ係止部は、前記挟持部に対し斜め外方に向かって斜設され、前記挟持部の両端の下端ロープ係止部を介して前記下段係止金具に係止された前記下端ロープは、水平方向から見て、曲折することなく、略直線状に掛架されるように構成されていることを特徴とする請求項１記載の農家が自力施工できる鳥獣侵入防止柵を提供するものである。
【００１６】
請求項３に係る発明は、請求項１又は２記載の農家が自力施工できる鳥獣侵入防止柵の使用法であって、所定期間に於いて、前記網の上端を前記上段係止金具に係止した状態で、前記網の下端も前記上段係止金具に係止して、前記網を上下中間で２つ折りに折り畳んだ状態に維持し、所定期間終了時に前記網の下端を前記上段係止金具から外し、前記網の下端を前記下段係止金具に係止して前記網を張設することを特徴とする農家が自力施工できる鳥獣侵入防止柵の使用法を提供するものである。
【００１７】
請求項４に係る発明は、請求項１又は２記載の農家が自力施工できる鳥獣侵入防止柵の使用法であって、所定期間に於いて、前記網の上端を前記上段係止金具に係止した状態で、前記網の上下間所定箇所を前記上段係止金具に係止して、前記網を３つ折りに折り畳んだ状態に維持し、或いは、前記網の上下間所定箇所と、前記網の下端とを前記上段係止金具に係止して、前記網を４つ折りに折り畳んだ状態に維持し、所定期間終了時に前記網の上端を除く係止部分を前記上段係止金具から外し、前記網の下端を前記下段係止金具に係止して前記網を張設することを特徴とする農家が自力施工できる鳥獣侵入防止柵の使用法を提供するものである。
【００１８】
請求項５に係る発明は、請求項１又は２記載の農家が自力施工できる鳥獣侵入防止柵の使用法であって、所定期間に於いて、前記支柱の前記下段係止金具よりも上方で、且つ、前記上段係止金具から所定寸法下げた位置に、前記支柱を挟持して係止する中段係止金具を設け、前記網の上端を前記上段係止金具に係止した状態で、前記網の下端を前記中段係止金具に係止して、前記網の下部を一部折り畳んだ状態に維持し、所定期間終了時に前記網の下端を前記中段係止金具から外し、前記網の下端を前記下段係止金具に係止して前記網を張設することを特徴とする農家が自力施工できる鳥獣侵入防止柵の使用法を提供するものである。
【発明の効果】
【００１９】
本発明の請求項１記載の発明によれば、軽量で、施工が容易な、農家が自力施工できる鳥獣侵入防止柵を提供することができる。
又、本発明の鳥獣侵入防止柵は、金具及び網の取付けにボルトナットを使わないので、作業効率が良く、更に、網は、金具に係止するのみであるので、網の取付け、取り外しが極めて容易である。
更に又、本発明の鳥獣侵入防止柵は、支柱に孔を開けずに施工できるので、地形や地質どおりに打ち込み出来ない場合でも融通性が高く、施工性が良い。
又、挿入部及び金具係止部により上段係止金具を支柱の上端に確実にかつ容易に係止させ、上端ロープ係止部により、上端ロープを係止させることができる。
【００２２】
請求項２記載の発明によれば、請求項１に記載の発明の効果に加え、挟持部により支柱を挟持して、下段係止金具を支柱に係止できると共に、下端ロープ係止部で下端ロープを係止させることができる。
又、挟持部により支柱を挟持して、下段係止金具を支柱に容易に係止できると共に、下端ロープ係止部で下端ロープを容易に係止させることができる。
又、下端ロープ係止部は、挟持部に対し斜め外方に向かって斜設されているので、挟持部の両端の下端ロープ係止部を介して下段係止金具に係止された下端ロープは、水平方向から見て、曲折することなく、略直線状に掛架され、外観上も良好となり、下端ロープの係止も容易になる。
【００２６】
請求項３記載の発明によれば、必要な所定期間に於いて、網の下端を上段係止金具に係止することにより、網を上下中間で２つ折りに折り畳んだ状態に維持し、所定期間終了時には、網を下段まで張設することができる。
例えば、冬季間には、網を上下中間で折り畳んだ状態に維持することにより、積雪による網の損傷を防止できると共に、雪深い時期の鳥獣の侵入を防止でき、冬季間終了時には、雪解け時期にとらわれず、網を下段まで張設することができる。
又、例えば、草刈り期間には、網を上下中間で折り畳んだ状態に維持することにより、草刈り時の網の損傷を防止できると共に、網の下方の草刈りを可能とし、草刈り終了時には、網を下段まで張設することができる。
【００２７】
請求項４記載の発明によれば、必要な所定期間に於いて、網の上下間所定箇所や網の下端を上段係止金具に係止することにより、網を３つ折り、又は、４つ折りに折り畳んだ状態に維持し、即ち、網の最下端位置を高い位置に保持し、積雪の多い場合に於いて、網の損傷を防止することができる。そして、所定期間終了時には、網を下段まで張設することができる。
【００２８】
請求項５記載の発明によれば、必要な所定期間に於いて、網の下端を中段係止金具に係止して、網の下部を一部折り畳んだ状態に維持し、所定期間終了時には、網を下段まで張設することができる。
例えば、冬季間には、網の下部を一部折り畳んだ状態に維持することにより、積雪による網の損傷を防止できると共に、雪深い時期の鳥獣の侵入を防止でき、冬季間終了時には、雪解け時期にとらわれず、網を下段まで張設することができる。
又、例えば、草刈り期間には、網の下部を一部折り畳んだ状態に維持することにより、草刈り時の網の損傷を防止できると共に、網の下方の草刈りを可能とし、草刈り終了時には、網を下段まで張設することができる。
【図面の簡単な説明】
【００２９】
【図１】（ａ）本発明の農家が自力施工できる鳥獣侵入防止柵の一部正面図である。（ｂ）本発明の農家が自力施工できる鳥獣侵入防止柵の側面図である。
【図２】（ａ）本発明の上段係止金具の正面図である。（ｂ）本発明の上段係止金具の側面図である。（ｃ）本発明の上段係止金具の平面図である。
【図３】（ａ）本発明の下段係止金具の平面図である。（ｂ）本発明の下段係止金具の正面図である。
【図４】本発明のアンカーピンの正面図である。
【図５】（ａ）本発明の上段係止金具を取り付けた状態を示す側面図である。（ｂ）本発明の上段係止金具を取り付けた状態を示す正面図である。
【図６】（ａ）本発明の下段係止金具を取り付けた状態を示す正面図である。（ｂ）本発明の下段係止金具を取り付けた状態を示す側面図である。（ｃ）本発明の下段係止金具を取り付けた状態を示す平面図である。
【図７】本発明の農家が自力施工できる鳥獣侵入防止柵の所定長さの施工例を示す一部正面図である。
【図８】（ａ）本発明の農家が自力施工できる鳥獣侵入防止柵の網を上下中間で２つ折りに折り畳んだ状態を示す一部正面図である。（ｂ）本発明の農家が自力施工できる鳥獣侵入防止柵の網を上下中間で折り畳んだ状態を示す側面図である。
【図９】（ａ）本発明の農家が自力施工できる鳥獣侵入防止柵の網を３つ折りに折り畳んだ状態を示す側面図である。（ｂ）本発明の農家が自力施工できる鳥獣侵入防止柵の網を４つ折りに折り畳んだ状態を示す側面図である。
【図１０】（ａ）本発明の農家が自力施工できる鳥獣侵入防止柵の網の下部を一部折り畳んだ状態を示す一部正面図である。（ｂ）本発明の農家が自力施工できる鳥獣侵入防止柵の網の下部を一部折り畳んだ状態を示す側面図である。
【図１１】（ａ）本発明の変形例の下段係止金具を取り付けた状態を示す正面図である。（ｂ）本発明の変形例の下段係止金具を取り付けた状態を示す側面図である。（ｃ）本発明の変形例の下段係止金具を取り付けた状態を示す平面図である。
【図１２】（ａ）本発明のキャップを取付けた状態を示す正面図である。（ｂ）本発明のキャップを取付けた状態を示す側面図である。（ｃ）本発明のキャップを取付けた状態を示す平面図である。
【発明を実施するための形態】
【００３０】
以下、実施例を示した図面を参照しつつ本発明の実施の形態を説明する。
図１に於いて、１は、本発明の農家が自力施工できる鳥獣侵入防止柵であり、鳥獣侵入防止柵１は、金属パイプ等の筒状の複数の支柱２と、支柱２の上端に係止する上段係止金具３と、支柱２の下部を挟持して係止する下段係止金具４と、上段係止金具３と下段係止金具４とに上端と下端とを係止させることにより支柱２間に張設する樹脂製の網５とを備えたものである。
尚、「農家が自力施工できる」とは、「高齢化している現状の農家に於いて、農家の人が業者施工や、機械等に頼ることなく、農家の人だけで自力で施工できる」ことを意味する。
又、鳥獣侵入防止柵１は、必要に応じて、支柱２間の１乃至複数個所に於いて、網５の下端辺、又は、網５の下端辺に配設される下端ロープ２２を地面に固定する後述するアンカーピン２４を用いる。
【００３１】
図２及び図５に示す如く、上段係止金具３は、支柱２の筒内に挿入する挿入部１１と、支柱２の上端に上段係止金具３を係止するための金具係止部１２と、網５の上端辺に配設される上端ロープ１３を係止させる上端ロープ係止部１４とを備えている。
上段係止金具３は具体的には、全体が鋼線を折り曲げて形成され、挿入部１１は支柱２の筒内に挿入できるようにＵ字形状に折曲されて形成され、金具係止部１２は挿入部１１に延設して挿入部１１と同一平面上に逆Ｕ字状に折曲されて形成され、上端ロープ係止部１４は金具係止部１２に延設して金具係止部１２に対して斜設する如く斜め方向｛図２（ｂ）に於いて左斜め方向｝に円状に折曲されて形成されている。
即ち、上端ロープ係止部１４は、金具係止部１２の先端部から延設して斜め方向に円状に略一回転し、先端部が金具係止部１２の先端部に、上端ロープ１３の出し入れを行うための隙間を残して近接するように形成されている。
尚、上端ロープ１３は、網５の上端辺の網目を交互に貫通させて配設しても良く、或いは、網５の上端辺の適宜網目部に結んで配設しても良い。
【００３２】
図３及び図６に示す如く、下段係止金具４は、支柱２を挟持する挟持部２１と、網５の下端に配設される下端ロープ２２を係止させる下端ロープ係止部２３とを備えている。
下段係止金具４は具体的には、全体が鋼線を折り曲げて形成され、挟持部２１は略半円状に折曲されて形成され、下端ロープ係止部２３は、挟持部２１の両端に夫々延設して挟持部２１と同一平面上に略逆半円状に折曲されて形成されている。
尚、下端ロープ２２は、網５の下端辺の網目を交互に貫通させて配設しても良く、或いは、網５の下端辺の適宜網目部に結んで配設しても良い。
図４は、網５の下端辺、又は、網５の下端辺に配設される下端ロープ２２を地面に固定するアンカーピン２４を示している。アンカーピン２４を使用する場合は、アンカーピン２４の図４に於いて上部の鉤部に、網５の下端辺、又は、網５の下端辺に配設される下端ロープ２２を引っ掛け、アンカーピン２４の頭部を叩いて、アンカーピン２４の図４に於いて下部の槍部を地面に打ち込む。
アンカーピン２４は、必要に応じて、支柱２間に於いて適宜１乃至複数本打ち込む。
【００３３】
図５は、前記上段係止金具３の係止状態を示したものであり、上段係止金具３は、挿入部１１を支柱２の上端から筒内に挿入し、金具係止部１２を支柱２の上端に係止させた状態で、斜め方向に円状に折曲された上端ロープ係止部１４の先端部と金具係止部１２の先端部との隙間から上端ロープ１３を上端ロープ係止部１４の内側に導入し、上端ロープ１３を上端ロープ係止部１４に係止させる。
【００３４】
図６は、前記下段係止金具４の係止状態を示したものであり、下段係止金具４は、挟持部２１で支柱２を挟持させた状態で、図６（ａ）に於いて左側の下端ロープ係止部２３の内側に下から上に向けて下端ロープ２２を通し、右側の下端ロープ係止部２３の内側に上から下に向けて下端ロープ２２を通し、下端ロープ２２を下端ロープ係止部２３に係止させたものである。係止された下端ロープ２２は、左右の下端ロープ係止部２３間が上段となり、その外方が下段となり、段差が形成される。
【００３５】
従って、図５及び図６に示す如く、複数の支柱２に上段係止金具３及び下段係止金具４を取付け、図１に示す如く、上段係止金具３及び下段係止金具４に網５を係止させて、網５を支柱２間に張設すれば、鳥獣侵入防止柵１が完成する。
更に、必要に応じて、前述した如く、適宜本数のアンカーピン２４を打ち込み、網５の下端辺、又は、網５の下端辺に配設される下端ロープ２２を地面に固定する。
【００３６】
図７は、５本の支柱２間に網５を張設した所定長さの鳥獣侵入防止柵１の一部を示しているが、更に鳥獣侵入防止柵１は、長く設置することができ、或いは、柵として一定のスペースを囲い込むことも可能である。
【００３７】
図８は、鳥獣侵入防止柵１の使用法の一例であって、主として冬季間に於いて、網５の上端に配設された上端ロープ１３を上段係止金具３に係止した状態で、網５の下端の下端ロープ２２も上段係止金具３に係止して、網５を上下中間で２つ折りに折り畳んだ状態に維持したものである。
尚、この場合に於いても、前述（図１参照）と同様に下段係止金具４は取付けておく。
【００３８】
前記冬季間に於ける使用法によって、積雪による加重を避け、従来、積雪荷重により、網５が引き延ばされてたるむ現象を防止することができる。
又、雪が深い場合は、積雪と、前記折り畳んだ状態の網５とで鳥獣侵入防止柵の効果が期待できる。即ち、積雪が鳥獣侵入防止柵の下部側の柵の役目を果たし、上下中間で折り畳んだ状態の網５が、鳥獣侵入防止柵の上部側の柵の役目を果たす。この時、所定高さの積雪があれば、上下中間で折り畳んだ状態の網５の下端部は、積雪によってある程度動かないように保持される。
【００３９】
尚、この場合、必要に応じて、上下中間で折り畳んだ状態の網５の下端部を前記下段係止金具４を用いて係止させても良い。その場合には、予め、上下中間で折り畳んだ状態の網５の下端部に位置するように、下段係止金具４を支柱２の適宜高さに別途取付けておく。
又、その場合、上下中間で折り畳んだ状態の網５の下端部を下段係止金具４に直接係止させても良いが、予め上下中間で折り畳んだ状態の網５の下端部となる位置に、下段係止金具４に係止させるためのロープを配設し、そのロープを下段係止金具４に係止させても良い。
【００４０】
更に、前記鳥獣侵入防止柵１は、冬季間終了時に、雪解け時期にとらわれず、前記冬季間に於ける使用法の状態から、網５の下端を上段係止金具３から外し、網５の下端を予め取付けておいた図１に示す下段係止金具４に係止して図１に示す如く網５を柵の下部側にも張設することができる。
【００４１】
又、図８の鳥獣侵入防止柵１の使用法を、例えば、草刈り期間にも適用できる。草刈り期間に於いて、網５の上端に配設された上端ロープ１３を上段係止金具３に係止した状態で、網５の下端の下端ロープ２２も上段係止金具３に係止して、網５を上下中間で折り畳んだ状態に維持する。
尚、この場合に於いても、前述（図１参照）と同様に下段係止金具４は取付けておく。
【００４２】
前記草刈り期間（時間であっても良い。）に於ける使用法によって、草刈り機等による網の損傷を防止することができると共に、網の下方の草刈りが可能となる。
草刈り期間が終了したら、前記草刈り期間の使用状態から、網５の下端を上段係止金具３から外し、網５の下端を予め取付けておいた図１に示す下段係止金具４に係止して図１に示す如く網５を柵の下部側にも張設することができる。
尚、前図８に示す鳥獣侵入防止柵１の使用法は、前記冬季間及び草刈り期間の適用に限定されるものではなく、他の必要な期間や、目的に適用することも可能である。
【００４３】
図９（ａ）は、鳥獣侵入防止柵１の他の使用法の一例であって、主として冬季間に於いて、網５の上端に配設された上端ロープ１３を上段係止金具３に係止した状態で、網５の上下間所定箇所、好適には、網５の上端から上下幅の約２／３の下方箇所を上段係止金具３に係止して、網を３つ折りに折り畳んだ状態に維持したものである。
図９（ｂ）は、鳥獣侵入防止柵１の他の使用法の一例であって、主として冬季間に於いて、網５の上端に配設された上端ロープ１３を上段係止金具３に係止した状態で、網５の上下間所定箇所、好適には、網５の上端から上下幅の約１／２下方箇所と、網５の下端ロープ２２とを上段係止金具３に係止して、網５を４つ折りに折り畳んだ状態に維持したものである。
前図９（ａ）及び前図９（ｂ）の使用法に於いては、網５の最下端位置を高い位置に保持し、積雪の多い場合に於いて、網５の損傷を防止することができる。
前図９（ａ）及び前図９（ｂ）の使用法に於いて、所定期間終了時には、網５の上端（この場合、上端ロープ１３）を除く係止部分（下端ロープ２２を含む）を上段係止金具３から外し、網５の下端を下段係止金具４に係止して網５を張設する。
尚、状況に応じて、前述した４つ折りよりも更に多く折り畳むことも可能である。
【００４４】
図１０は、鳥獣侵入防止柵１の他の使用法の一例であって、例えば、冬期間、又は、草刈り期間等の所定期間に於いて、支柱２の下段係止金具４よりも上方で、且つ、上段係止金具３から所定寸法(任意の寸法に設定可能である。例えば、網５の上下幅の１／４程度の寸法）下げた位置に、支柱２を挟持して係止する中段係止金具２５を設け、網５の上端に配設された上端ロープ１３を上段係止金具３に係止した状態で、網５の下端の下端ロープ２２を中段係止金具２５に係止して、網５の下部を一部折り畳んだ状態に維持し、冬期間、又は、草刈り期間等の所定期間終了時に、網５の下端の下端ロープ２２を中段係止金具２５から外し、下端ロープ２２を下段係止金具４に係止して網５を張設するものである。
前記中段係止金具２５は、前記下段係止金具４と同じものであり、同じ形状及び機能を備える。
尚、中段係止金具２５を別途設けることなく、下段係止金具４を前記中段係止金具２５の位置に移動させて中段係止金具２５として用いることも可能である。そして、所定期間終了時に、網５を下段まで張設する時は、移動させた下段係止金具４を元の位置に戻せば良い。
【００４５】
図１０に示す鳥獣侵入防止柵１の他の使用法によっても、前図８に示した鳥獣侵入防止柵１の使用法と同様の効果が期待できる。
但し、図１０に示す鳥獣侵入防止柵１の他の使用法の場合は、必要に応じて、前記中段係止金具２５の取付位置を変えることにより、網の折り畳みの割合（地面からどの程度持上げるか）を調節することができる。これにより、例えば、積雪の深さに応じて網５の折り畳んだ状態に於ける下端部の位置調節が可能となる。
尚、前記図１０に示す鳥獣侵入防止柵１の他の使用法は、前記冬季間及び草刈り期間の適用に限定されるものではなく、他の必要な期間や、目的に適用することも可能である。
【００４６】
図１１は、前記鳥獣侵入防止柵１の前記下段係止金具（図６に於いて４）に代えて用いることができる変形例の下段係止金具３１を示している。
下段係止金具３１は、前記下段係止金具（図６に於いて４）の下端ロープ係止部（図６に於いて２３）に代えて変形例の下端ロープ係止部３２を設けたものであり、下端ロープ係止部３２は、挟持部２１に対し斜め外方｛図１１（ａ）に於いて斜め上方外方｝に向かって略半円状に折曲されて斜設され、挟持部２１の両端の下端ロープ係止部３２を介して下段係止金具３１に係止された下端ロープ２２は、図１１（ａ）に示す如く、水平方向から見て、曲折することなく、即ち、段差になることなく、略直線状に掛架されるように構成されている。
但し、平面視では、図１１（ｃ）に示す如く、下端ロープ２２が、支柱２と、左右の下端ロープ係止部３２に部分的に巻回して下端ロープ２２は曲折状態となる。
【００４７】
下段係止金具３１は、前記下段係止金具（図６に於いて４）に比較して、下端ロープ２２を係止させた状態が、水平方向から見て、曲折することなく、直線状になることにより外観上も良好となり、又、下端ロープ２２を前記下段係止金具（図６に於いて４）の如く、下方に曲折させないので、下端ロープ２２の係止作業が容易になる。
【００４８】
図１２は、前記鳥獣侵入防止柵１の支柱２の上端に着脱自在のキャップ４１を設けたものである。キャップ４１は必要に応じて適宜選択的に設けることができる。
キャップ４１は、支柱２の外径以上の径を有する蓋部４２と、支柱２の内壁内に嵌挿させる嵌挿部４３とから構成され、蓋部４２には、上段係止金具３の鋼線が貫通する孔４４が開穿されている。
キャップ４１を支柱２に取り付ける場合は、予めキャップ４１の孔４４に上段係止金具３を貫通させてから取付ける。
【符号の説明】
【００４９】
１  鳥獣侵入防止柵
２  支柱
３  上段係止金具
４，３１  下段係止金具
５  網
１１  挿入部
１２  金具係止部
１３  上端ロープ
１４  上端ロープ係止部
２１  挟持部
２２  下端ロープ
２３，３２  下端ロープ係止部
２５  中段係止金具
４１  キャップ
４４  孔
【図１】
0005486399.tif 000002
【図２】
0005486399.tif 000003
【図３】
0005486399.tif 000004
【図４】
0005486399.tif 000005
【図５】
0005486399.tif 000006
【図６】
0005486399.tif 000007
【図７】
0005486399.tif 000008
【図８】
0005486399.tif 000009
【図９】
0005486399.tif 000010
【図１０】
0005486399.tif 000011
【図１１】
0005486399.tif 000012
【図１２】
0005486399.tif 000013